(57)【要約】【課題】特に、ベッドに寝たまま長時間テレビを視聴しても疲労の少ないテレビホルダ及びその使用方法を提供する。【解決手段】本発明のテレビホルダ１は、支持フレーム１１（木製等）と、支持フレームに立設された支柱１２（鋼管等からなる。）と、支柱の上端部に取り付けられ、且つ支柱を支軸として回転可能であるテレビ台取着体１３（鋼管等からなる。）と、テレビ台取着体に取り付けられ、且つテレビ台取着体の回転面に対して角度調整可能であるテレビ台１４（木製等）と、を備える。また、このテレビホルダは、特に、ベッドの側部の足元側に配置して使用することができる。【選択図】図１
2007214924.tif 000002
【特許請求の範囲】
【請求項１】
支持フレームと、
該支持フレームに立設された支柱と、
該支柱の上端部に取り付けられ、且つ該支柱を支軸として回転可能であるテレビ台取着体と、
該テレビ台取着体に取り付けられ、且つ該テレビ台取着体の回転面に対して角度調整可能であるテレビ台と、を備えることを特徴とするテレビホルダ。
【請求項２】
上記テレビ台取着体はＬ字形の管状体又は棒状体からなり、短寸法側の端部が、上記支柱の上記上端部に取り付けられた請求項１に記載のテレビホルダ。
【請求項３】
上記テレビ台取着体の上記端部及び上記支柱の上記上端部に、該テレビ台取着体の過回転を防止する係止部が設けられた請求項２に記載のテレビホルダ。
【請求項４】
上記テレビ台は上記テレビ台取着体の長寸法側に取り付けられ、該長寸法側に該テレビ台の過傾斜を防止する係止部が設けられた請求項２又は３に記載のテレビホルダ。
【請求項５】
上記テレビ台に載置されるテレビの下部を支持するための下部支持手段と、該テレビの上部を支持するための上部支持手段とを有する請求項１乃至４のうちのいずれか１項に記載のテレビホルダ。
【請求項６】
上記下部支持手段は、上記テレビの上記下部を上記テレビ台に繋止する鎖又はワイヤロープであり、上記上部支持手段は、該テレビの上記上部を該テレビ台に繋止する鎖又はワイヤロープである請求項５に記載のテレビホルダ。
【請求項７】
更に回動テーブルを備え、該回動テーブルは、上記支柱に嵌装され、且つ固定された固定環状体と、該支柱に該支柱を支軸として回転可能に嵌装され、且つ該固定環状体に支持された可動環状体と、該可動環状体に突設されたアームと、該アームの上面に直接又は他部材を介して取り付けられたテーブル板と、を有する請求項１乃至６のうちのいずれか１項に記載のテレビホルダ。
【請求項８】
上記テーブル板は、上記アームの上記上面において回転可能である請求項７に記載のテレビホルダ。
【請求項９】
上記固定環状体及び上記可動環状体に、該可動環状体の過回転を防止する係止部が設けられた請求項７又は８に記載のテレビホルダ。
【請求項１０】
上記テレビ台取着体はＬ字形の管状体又は棒状体からなり、短寸法側の端部が、上記支柱の上記上端部に取り付けられ、
該テレビ台取着体の該端部及び該支柱の該上端部に該テレビ台取着体の過回転を防止する係止部が設けられ、
上記テレビ台は該テレビ台取着体の長寸法側に取り付けられ、該長寸法側に該テレビ台の過傾斜を防止する係止部が設けられ、
上記テレビ台に載置されるテレビの下部を該テレビ台に繋止する鎖又はワイヤロープ、及び該テレビの上部を該テレビ台に繋止する鎖又はワイヤロープを有し、
更に回動テーブルを備え、該回動テーブルは、該支柱に嵌装され、且つ固定された固定環状体と、該支柱に該支柱を支軸として回転可能に嵌装され、且つ該固定環状体に支持された可動環状体と、該可動環状体に突設されたアームと、該アームの上面に直接又は他部材を介して取り付けられたテーブル板と、を有し、
該テーブル板は、該アームの該上面において回転可能であり、
該固定環状体及び該可動環状体に、該可動環状体の過回転を防止する係止部が設けられた請求項１に記載のテレビホルダ。
【請求項１１】
請求項１０に記載のテレビホルダを、ベッドの側部の足元側に配置して用いることを特徴とするテレビホルダの使用方法。
【発明の詳細な説明】
【技術分野】
【０００１】
本発明は、テレビホルダ及びその使用方法に関する。更に詳しくは、テレビを載せたテレビ台の向き及び角度を調整することができ、テレビ画面を視聴者の正面に容易に移動させることができるテレビホルダ及びその使用方法に関する。
本発明は、特に、ベッドに寝たままテレビを視聴する場合に有用であり、テレビを載せたテレビ台を引き出してテレビをベッドの足元側の上部に移動させ、テレビ画面を視聴者の正面に位置させることで、楽な姿勢でテレビを視聴することができ、長時間のテレビ視聴であっても、疲労を軽減することができる。
【背景技術】
【０００２】
従来から、テレビは、専用のテレビ台に載せるか、サイドボード等の家具の天板等に載せて視聴するのが一般的である。専用のテレビ台であれば、底板の下面に取り付けられたキャスターによりテレビ台そのものを回動させることができる。また、天板の上面にテレビを載せ、このテレビを回動させることもできる（例えば、特許文献１参照。）。このようにして、テレビ画面を視聴者の正面に向けることができる。一方、家具の天板等に載せたときは、通常、テレビの回動はできず、視聴者が視聴し易い姿勢をとることになるが、無理な姿勢であることも多く、視聴し難いばかりでなく、疲れ易く、長時間に渡ってテレビを楽しむことができない場合もある。
【０００３】
【特許文献１】特開平８−３３１４８５号公報
【発明の開示】
【発明が解決しようとする課題】
【０００４】
専用のテレビ台を用いた場合は、上記のように容易にテレビ画面を視聴者の正面に向けることができる。しかし、テレビの角度を変化させることはできないため、床、布団及びベッド等に寝たまま、くつろいだ姿勢で視聴するときは、視線を上方に向けたり、顔を横に向けたりしなければならず、疲労し易く、長時間の視聴は苦痛をともなうことすらあった。
【０００５】
本発明は、上記の従来の状況に鑑みてなされたものであり、テレビを載せたテレビ台の向き及び角度を容易に調整することができ、テレビ画面を視聴者の正面に移動させることができ、且つ目線に対して最適な角度とすることができるため、テレビ視聴時の疲労が軽減され、長時間に渡ってテレビを楽しむことができるテレビホルダ及びこのテレビホルダをベッドの側部の足元側に配置して用いるテレビホルダの使用方法を提供することを目的とする。
【課題を解決するための手段】
【０００６】
本発明は以下のとおりである。
１．支持フレームと、該支持フレームに立設された支柱と、該支柱の上端部に取り付けられ、且つ該支柱を支軸として回転可能であるテレビ台取着体と、該テレビ台取着体に取り付けられ、且つ該テレビ台取着体の回転面に対して角度調整可能であるテレビ台と、を備えることを特徴とするテレビホルダ。
２．上記テレビ台取着体はＬ字形の管状体又は棒状体からなり、短寸法側の端部が、上記支柱の上記上端部に取り付けられた上記１．に記載のテレビホルダ。
３．上記テレビ台取着体の上記端部及び上記支柱の上記上端部に、該テレビ台取着体の過回転を防止する係止部が設けられた上記２．に記載のテレビホルダ。
４．上記テレビ台は上記テレビ台取着体の長寸法側に取り付けられ、該長寸法側に該テレビ台の過傾斜を防止する係止部が設けられた上記２．又は３．に記載のテレビホルダ。
５．上記テレビ台に載置されるテレビの下部を支持するための下部支持手段と、該テレビの上部を支持するための上部支持手段とを有する上記１．乃至４．のうちのいずれか１項に記載のテレビホルダ。
６．上記下部支持手段は、上記テレビの上記下部を上記テレビ台に繋止する鎖又はワイヤロープであり、上記上部支持手段は、該テレビの上記上部を該テレビ台に繋止する鎖又はワイヤロープである上記５．に記載のテレビホルダ。
７．更に回動テーブルを備え、該回動テーブルは、上記支柱に嵌装され、且つ固定された固定環状体と、該支柱に該支柱を支軸として回転可能に嵌装され、且つ該固定環状体に支持された可動環状体と、該可動環状体に突設されたアームと、該アームの上面に直接又は他部材を介して取り付けられたテーブル板と、を有する上記１．乃至６．のうちのいずれか１項に記載のテレビホルダ。
８．上記テーブル板は、上記アームの上記上面において回転可能である上記７．に記載のテレビホルダ。
９．上記固定環状体及び上記可動環状体に、該可動環状体の過回転を防止する係止部が設けられた上記７．又は８．に記載のテレビホルダ。
１０．上記テレビ台取着体はＬ字形の管状体又は棒状体からなり、短寸法側の端部が、上記支柱の上記上端部に取り付けられ、該テレビ台取着体の該端部及び該支柱の該上端部に該テレビ台取着体の過回転を防止する係止部が設けられ、上記テレビ台は該テレビ台取着体の長寸法側に取り付けられ、該長寸法側に該テレビ台の過傾斜を防止する係止部が設けられ、上記テレビ台に載置されるテレビの下部を該テレビ台に繋止する鎖又はワイヤロープ、及び該テレビの上部を該テレビ台に繋止する鎖又はワイヤロープを有し、更に回動テーブルを備え、該回動テーブルは、該支柱に嵌装され、且つ固定された固定環状体と、該支柱に該支柱を支軸として回転可能に嵌装され、且つ該固定環状体に支持された可動環状体と、該可動環状体に突設されたアームと、該アームの上面に直接又は他部材を介して取り付けられたテーブル板と、を有し、該テーブル板は、該アームの該上面において回転可能であり、該固定環状体及び該可動環状体に、該可動環状体の過回転を防止する係止部が設けられた上記１．に記載のテレビホルダ。
１１．上記１０．に記載のテレビホルダを、ベッドの側部の足元側に配置して用いることを特徴とするテレビホルダの使用方法。
【発明の効果】
【０００７】
本発明のテレビホルダによれば、テレビの向き及び角度の調整が容易であり、テレビ画面を視聴者の正面に向けることができ、且つ最適な角度とすることができる。そのため、視聴し易く、目及び身体の疲労も少ない。また、視聴しないときは収納が容易であり、収納に多くの場所を必要としない。
更に、テレビ台取着体はＬ字形の管状体又は棒状体からなり、短寸法側の端部が、支柱の上端部に取り付けられた場合は、テレビ台取着体とともにテレビ台を容易に回転させることができ、テレビ画面を視聴者の正面にもってき易く、より楽にテレビを視聴することができる。
また、テレビ台取着体の端部及び支柱の上端部に、テレビ台取着体の過回転を防止する係止部が設けられた場合は、必要以上に回転し、テレビ台取着体及びテレビ台が他の物品と接触すること等を防止することができ、且つテレビ台に載っていたテレビが他の物品と接触し、又は落下し、損傷することを防止することもできる。
更に、テレビ台はテレビ台取着体の長寸法側に取り付けられ、長寸法側にテレビ台の過傾斜を防止する係止部が設けられた場合は、テレビ台に載っていたテレビが落下し、損傷することを防止することができる。
また、テレビ台に載置されるテレビの下部を支持するための下部支持手段と、テレビの上部を支持するための上部支持手段とを有する場合は、テレビ台を傾斜させても、テレビが十分に支持され、テレビがテレビ台から落下すること等を防止することができる。
更に、下部支持手段が、テレビの下部をテレビ台に繋止する鎖又はワイヤロープであり、上部支持手段が、テレビの上部をテレビ台に繋止する鎖又はワイヤロープである場合は、簡易な構造でありながら、テレビを安定して支持することができ、テレビの移動、及び落下を十分に防止することができる。
また、回動テーブルを備え、回動テーブルが、支柱に嵌装され、且つ固定された固定環状体と、支柱に支柱を支軸として回転可能に嵌装され、且つ固定環状体に支持された可動環状体と、可動環状体に突設されたアームと、アームの上面に直接又は他部材を介して取り付けられたテーブル板と、を有する場合は、このテーブル板に各種の物品を置き、必要なときはテーブル板を引き出し、それらを利用することができるため便利である。例えば、パーソナルコンピュータを載せて作業することができる。
更に、テーブル板が、アームの上面において回転可能である場合は、テーブル板を人の正面に移動させ易く、パーソナルコンピュータ等の作業がより容易である。
また、固定環状体及び可動環状体に、可動環状体の過回転を防止する係止部が設けられた場合は、テーブル板の過剰な移動を防止することができ、テーブル板が他の物品と接触すること等を防止することもでき、且つテーブル板に載っていたパーソナルコンピュータ等が他の物品と接触し、又は落下し、損傷すること等を防止することもできる。
更に、上記の各々の構成要件のすべてを備えるテレビホルダである場合は、視聴し易く、目及び身体の疲労も少なく、テレビの落下、損傷等も十分に防止され、テーブル板を用いることでパーソナルコンピュータ等を容易に操作することができる。
また、上記の各々の構成要件のすべてを備えるテレビホルダを、ベッドの側部の足元側に配置して用いる場合は、テレビホルダをテレビ画面がベッドの長さ方向と略平行となるようにベッドの足元側に置き、テレビを視聴するときはテレビ台を回転させてテレビ画面を視聴者のほぼ正面に向けることができ、且つ最適な角度にすることができる。これにより、ベッドに寝たまま楽な姿勢でテレビを視聴することができ、長時間テレビを楽しむことができる。更に、テレビ台及びテーブル板を側方に容易に収納することができるため、収納のための多くの場所を必要としない。また、このテレビホルダは簡単に組み立て直すこともできるため、必要に応じてベッドの左右どちらにも配置することができる。
【発明を実施するための最良の形態】
【０００８】
以下、本発明を実施の形態により図面も用いて詳しく説明する。
［１］テレビホルダ
本発明のテレビホルダ１は、支持フレーム１１と、支持フレーム１１に立設された支柱１２と、支柱１２の上端部に取り付けられ、且つ支柱１２を支軸として回転可能であるテレビ台取着体１３と、テレビ台取着体に取り付けられ、且つテレビ台取着体の回転面に対して角度調整可能であるテレビ台１４と、を備える。
【０００９】
（１）支持フレーム
支持フレーム１１は、テレビを視聴しないとき、即ち、テレビ台取着体１３及びテレビ台１４が所定位置に収納されたときの方向に配設された基材１１１と、この基材１１１から、テレビを視聴するときにテレビ台１４等が引き出される側の側方へ突出するように配設された側方材１１２とを有し、支柱１２は基材１１１又は基材１１１及び側方材１１２に立設される（図１参照）。基材１１１の長さは特に限定されないが、テレビ台１４に載せられたテレビの重量によりテレビホルダ１がテレビ台１４等の収納方向に転倒することのない長さとすることができる。また、回動テーブル１５が設けられ、この回動テーブル１５がテレビ台１４等と同方向又は反対方向に収納されるときは、テレビと、回動テーブル１５が有するテーブル板１５４に載せられた物品との各々の重量により、テレビホルダ１がテレビ台１４等の収納方向又は反対方向に転倒することのない長さとすることができる。
【００１０】
この基材１１１の長さは、テレビの大きさ及びその重量、及び回動テーブル１５が設けられ、且つこの回動テーブル１５がテレビ台１４等と同方向に収納されるときは、テレビの重量に併せてテーブル板１５４に載せられた物品の重量にもよるが、支柱１２が固定された位置から、テレビ台１４等及び回動テーブル１５が収納される方向に５００〜１０００ｍｍ、特に６００〜９００ｍｍ、更に７００〜７５０ｍｍとすることができる。また、基材１１１は反対方向には延設されていなくてもよいが、テレビホルダ１をより安定に保持するため、反対方向にも延設させることが好ましい。この反対方向の長さはテレビ台１４等及び回動テーブル１５が収納される方向と同程度でもよく、５０〜２００ｍｍと短くてもよい。
【００１１】
更に、回動テーブル１５が設けられ、且つこの回動テーブル１５がテレビ台１４等と反対方向に収納されるときは、テレビ台１４等が収納される方向への長さは、支柱１２が固定された位置から５００〜１０００ｍｍ、特に６００〜９００ｍｍ、更に７００〜７５０ｍｍとすることができる。一方、回動テーブル１５が収納される方向への長さは、テレビ台１４等が収納される方向への長さと同程度でもよく、支柱１２が固定された位置から５５０〜８００ｍｍ、特に６００〜７００ｍｍと少し短くてもよい。
【００１２】
側方材１１２の長さも特に限定されないが、引き出されたテレビ台１４に載せられたテレビの重量、及び回動テーブル１５が設けられた場合は、テレビの重量に併せて引き出されたテーブル板１５４に載せられた物品の重量により、テレビホルダ１が側方側に転倒することのない長さとすることができる。この長さは、基材１１１の端縁から８００〜１３００ｍｍ、特に９００〜１２００ｍｍ、更に９５０〜１１００ｍｍとすることができる。また、テレビは前傾して固定されるため、テレビ台１４等の収納時に重心が前寄りとなり、テレビホルダ１の後方側への転倒が防止される。従って、側方材１１２は反対方向には設けられていなくてもよいが、テレビホルダ１をより安定に保持するため、反対方向に５０〜２００ｍｍ、特に１００〜１５０ｍｍ設けることもできる。
【００１３】
側方材１１２の本数は特に限定されない。テレビ等の重量を支持することができ、テレビホルダ１が転倒することがなければ１本でもよい。この本数は、通常、１〜２本でよく、３本であってもよい。基材１１１と側方材１１２とは、それぞれ別体であったものを一体としてもよく、一体に成形されたものでもよい。更に、基材１１１と側方材１１２とが一体とされる位置も特に限定されず、テレビホルダ１を安定して支持することができる位置であればよい。例えば、基材１１１の長さ方向の一端部から他端部に渡って、側方材１１２を所定間隔で配設することができる。また、特に、回動テーブル１５が設けられ、且つこの回動テーブル１５がテレビ台１４等と反対方向に収納されるときは、基材１１１の長さ方向の中央部に、側方材１１２の一端部を配設し、この位置に支柱１２を立設させることが好ましい。このようにすれば、より安定したテレビホルダ１とすることができる（図１参照）。
【００１４】
基材１１１及び側方材１１２の各々の材質も特に限定されず、支柱１２、テレビ台取着体１３、テレビ台１４、テレビ台１４に載せられたテレビ、回動テーブル１５が設けられた場合は、テーブル板１５４、テーブル板１５４に載せられた物品等の重量、並びにテレビ台１４等及び回動テーブルを引き出したり、収納したりするときの衝撃等に耐えられる強度を有するテレビホルダ１とすることができる材質であればよい。この材質としては、木材、金属及び樹脂等が挙げられる。
【００１５】
金属としては、ステンレス鋼及びアルミニウム等が挙げられ、軽量であり、且つ十分な強度を有するアルミニウム等が好ましい。樹脂としては、ポリアミド、ＡＢＳ樹脂及びポリオレフィン等が挙げられる。樹脂の場合は、基材１１１と側方材１１２との一体成形が容易であり好ましい。また、基材１１１及び側方材１１２は、中実体でもよく、中空体でもよいが、テレビホルダ１を軽量化することができるため中空体であることが好ましい。この基材１１１と側方材１１２とは、強度と重量とを勘案した場合、木材が好ましく、金属、特にアルミニウム等からなる中空体も好ましい。
【００１６】
基材１１１及び側方材１１２の各々の断面形状は特に限定されず、円形、楕円形並びに三角形及び四角形等の多角形、並びにこれらに近似の形状などのいずれであってもよい。支柱１２の立設のし易さ、及びテレビホルダ１の安定性等を勘案すると、断面形状は長方形及び正方形等の四角形であることが好ましい。更に、基材１１１及び側方材１１２は、それぞれ中実体でもよく、中空体でもよい。基材１１１及び側方材１１２が、木材及び樹脂からなるときは、強度の観点から中実体であることが好ましく、金属からなるときは、テレビホルダ１の軽量化の観点から中空体であることが好ましい。
【００１７】
（２）支柱
支持フレーム１１には、支柱１２が立設され、固定される。支柱１２は、テレビ等の重量などに耐えられる強度が必要であるため、通常、金属製である。この金属としては、ステンレス鋼及びアルミニウム等が挙げられ、テレビホルダ１の強度の観点からはステンレス鋼等が好ましく、軽量化の観点からはアルミニウム等が好ましい。
【００１８】
支持フレーム１１に支柱１２を固定する方法は特に限定されず、支持フレーム１１の材質等により、ネジ止め及び溶接等により固定することができる。例えば、支持フレーム１１が木材からなり、支柱１２が金属からなるときは、ネジ止めにより固定することができる。この場合、支柱１２の下端部に溶接等により金属からなる支持板１２１を取り付け、この支持板１２１に形成された貫通孔を用いてネジ止めすることができる。この支持板１２１の大きさ並びに貫通孔の個数及び位置は特に限定されないが、支持フレーム１１の基材１１１及び側方材１１２のすべてがネジ止めされ、支持フレーム１１と支柱１２とがより強固に一体化されることが好ましい（図１参照）。
【００１９】
また、支持フレーム１１及び支柱１２がともに金属からなるときも、上記と同様にして支柱１２の下端部に支持板１２１を取り付け、この支持板１２１により固定することができる。この場合、支持板１２１に貫通孔を形成し、更に支持フレーム１１にも貫通孔を形成して、ボルト、ナットにより固定することができる。また、支持フレーム１１の金属材によっては、支持板１２１のみに貫通孔を形成し、ネジ止めすることもできる。更に、支持フレーム１１と支持板１２１とが互いに溶接することができる材質であれば、これらを溶接して固定することもできる。また、支持フレーム１１と支柱１２とが互いに溶接することができる材質であれば、支持板１２１は設けず、支持フレーム１１と支柱１２の下端部とを直接溶接して固定することもできる。
【００２０】
（３）支柱及びテレビ台取着体
支柱１２の上端部には、この支柱１２を支軸として回転可能であるテレビ台取着体１３が取り付けられている。このテレビ台取着体１３の支柱１２への取り付け方法は特に限定されず、テレビ台取着体１３が回転可能であればよい。
【００２１】
テレビ台取着体１３の形状等は特に限定されず、例えば、Ｌ字形の管状体又は棒状体からなるテレビ台取着体１３とすることができる。このテレビ台取着体１３は、Ｌ字形の短寸法側１３１の端部が支柱１２の上端部に取り付けられ、この短寸法側１３１から水平方向、即ち、回転面に延設された長寸法側１３２にテレビ台１４が取り付けられる（図１及び図１３参照）。短寸法側１３１の長さは、端部を支柱１２の上端部に取り付けることができる長さであればよく、短寸法側１３１の支柱１２の上端部に取り付けられる端部を除く他の部分の長さは特に限定されない。また、長寸法側１３２の長さも特に限定されず、テレビ台１４に載せられるテレビの大きさ、特に横方向の寸法により、適宜の長さとすることができる。
【００２２】
支柱１２の上端部及びテレビ台取着体１３の短寸法側１３１の端部の各々の断面形状は、互いに摺動してテレビ台取着体１３を回転させることができればよい。即ち、（１）支柱１２の上端部が筒状であり、テレビ台取着体１３の短寸法側１３１の端部が筒状又は中実体であって、支柱１２の上端部に、テレビ台取着体１３の短寸法側１３１の端部が嵌入されて取り付けられている、（２）支柱１２の上端部が筒状又は中実体であり、テレビ台取着体１３の短寸法側１３１の端部が筒状であって、テレビ台取着体１３の短寸法側１３１の端部に、支柱１２の上端部が嵌入されて取り付けられている、（３）支柱１２の上端部が筒状であり、テレビ台取着体１３の短寸法側１３１の端部も筒状であって、支柱１２の上端部と、テレビ台取着体１３の短寸法側１３１の端部のうちの、径小側が径大側に嵌入されて取り付けられている（図１及び７、８参照）、等の態様とすることができる。
【００２３】
また、この断面形状は、円形、楕円形並びに三角形及び四角形等の多角形、並びにこれらに近似の形状などのいずれであってもよいが、通常、支柱１２の上端部及びテレビ台取着体１３の短寸法側１３１の端部は、いずれも断面円形であり、大径の円筒側に、小径の円筒側又は円柱側が嵌入されて取り付けられている。このように嵌入する側は中実体でもよいが、テレビホルダ１の軽量化の観点からは筒状であることが好ましい。即ち、支柱１２の上端部及びテレビ台取着体１３の短寸法側１３１の端部は、それぞれ円筒形であり、大径の円筒側に、小径の円筒側が嵌入されて取り付けられていることが好ましい。
【００２４】
支柱１２の上端部を除く部分及びテレビ台取着体１３の短寸法側１３１の端部を除く部分の断面形状も特に限定されず、円形、楕円形並びに三角形及び四角形等の多角形、並びにこれらに近似の形状などのいずれであってもよい。更に、これらの他の部分の断面形状は、各々支柱１２の上端部及びテレビ台取着体１３の短寸法側１３１の端部と同じであってもよく、異なっていてもよい。また、これらの他の部分の径方向の寸法も、それぞれ支柱１２の上端部及びテレビ台取着体１３の短寸法側１３１の端部と同じであってもよく、異なっていてもよい。これらの他の部分は、断面形状及び寸法ともに、各々支柱１２の上端部及びテレビ台取着体１３の短寸法側１３１の端部と同じであることが好ましく、支柱１２及びテレビ台取着体１３は、それぞれの一端から他端の全体に渡って円筒形であり、且つ径が一定であることがより好ましい（図１参照）。
【００２５】
支柱１２並びにテレビ台取着体１３の短寸法側１３１及び長寸法側１３２の各々の長さは特に限定されないが、テレビ台１４に載置されたテレビを視聴し易くするためには、テレビの画面と視聴者の目との距離を８００〜１６００ｍｍ、特に１０００〜１４００ｍｍとすることが好ましい。従って、テレビ画面と目との距離がこの範囲となるように、支柱１２及びテレビ台取着体１３の短寸法側１３１の各々の長さを設定することが好ましい。例えば、支柱１２は１１００〜１４００ｍｍとすることができ、テレビ台取着体１３の短寸法側１３１は２００〜３００ｍｍとすることができる。また、テレビ台取着体１３の長寸法側１３２の長さは、テレビ台１４に載置されるテレビの大きさにより、６００〜９００ｍｍ、特に７００〜８００ｍｍとすることができる。
【００２６】
テレビ台取着体１３には、過回転を防止する係止部が設けられていることが好ましい。この係止部の構成等は特に限定されず、テレビ台取着体１３とテレビ台１４とを、収納された状態から、テレビを視聴する状態まで、通常、約９０°回転させることができ、それを越える過回転を防止することができればよい。例えば、円筒形の支柱２の上端部に、円筒形のテレビ台取着体１３の短寸法側１３１の端部が嵌入されている場合、テレビ台取着体１３の短寸法側１３１の端部の端面側の外周面と、この端面側から離間した位置の外周面とに、半円弧状の板状体１３１ａ、１３１ｂを周方向に互いに対向する位置に突設させ、支柱１２の内周面に突設されたストッパー１２２ａと板状体１３１ｂの一方の端面とを当接させ、且つテレビ台取着体１３の短寸法側１３１の外周面に突設されたストッパー１３１ｃと支柱１２の内周面に突設されたストッパー１２２ｂとを当接させることで、テレビ台取着体１３の過回転を防止することができる（図７及び８参照）。
尚、テレビ台取着体１３の短寸法側１３１の外周面に突設されたストッパー１３１ｃと支柱１２の内周面に突設されたストッパー１２２ｂとの相対的な位置等により、テレビホルダ１を人の左側に位置させることもでき、右側に位置させることもできる。
【００２７】
テレビ台取着体１３にはテレビ台１４が取り付けられ、このテレビ台１４にはテレビが載せられ、且つ回転等の操作がなされる。そのため、テレビ台取着体１３はテレビの重量及び回転等の操作時の衝撃等に耐えられるだけの強度が必要である。テレビ台取着体１３の材質は特に限定されないが、上記のように十分な強度が必要であるため、通常、金属からなる。この金属としては、ステンレス鋼及びアルミニウム等が挙げられ、テレビホルダ１の強度の観点からはステンレス鋼等が好ましく、軽量化の観点からはアルミニウム等が好ましい。
【００２８】
（４）テレビ台
テレビ台取着体１３にはテレビ台１４が取り付けられる。テレビ台取着体１３が上記（３）に記載のＬ字形の管状体又は棒状体からなり、短寸法側１３１と長寸法側１３２とを有するものである場合、その長寸法側１３２に、テレビ台１４を、テレビ台取着体１３の回転面に対して角度調整可能に取り付けることができる。テレビ台１４のテレビ台取着体１３の長寸法側１３２への取り付け方法は特に限定されず、角度調整可能であり、且つ調整した角度が保たれればよい。このテレビ台１４は、例えば、その下面に取り付けられたクランプボルト１３２ａにより、テレビ台取着体１３の長寸法側１３２に取り付け、角度を調整し、その後、クランプボルト１３２ａを緊締することなどにより、テレビ台取着体１３の長寸法側１３２に取り付けることができる（図６参照）。
【００２９】
テレビ台１４の平面形状は特に限定されず、載置されるテレビの種類等により適宜の形状とすることができる。この平面形状は、楕円形、円形、長方形及び正方形等の多角形、並びにこれらに近似の形状とすることができる。ブラウン管を用いたテレビは一般に幅と奥行きとに大きな差はなく、一方、液晶テレビは幅に比べて奥行きが小さく平板である。従って、ブラウン管を用いたテレビを載置するときは、テレビ台１４の平面形状は、円形及び正方形等であることが好ましく、液晶テレビを載置するときは、楕円形及び長方形等であることが好ましい（図１〜６参照）。テレビ台１４の大きさも特に限定されず、テレビを安定して載置することができればよく、テレビホルダ１の軽量化等の観点からも必要以上に大きくすることは好ましくない。
【００３０】
テレビ台１４に載置されるテレビの種類は特に限定されず、ブラウン管を用いたテレビであっても、液晶テレビであってもよい。ブラウン管を用いたテレビは一般に相当の重量があるため、特に、テレビホルダ１をベッドの側部の足元側に配置して用いるときなどは、安全性の観点から軽量な液晶テレビが好ましい。また、テレビの大きさも特に限定されないが、近年、テレビは大型化が著しく、他の機能が付加されることも多く、液晶テレビといえども３０インチを越える大型は相当な重量である。そのため、テレビホルダ１のテレビ台１４に載置して視聴するテレビは、液晶テレビであり、且つ大きさが２６インチ以下であることが好ましい。
【００３１】
テレビ台１４に載置されたテレビをより視聴し易くするため、テレビ台１４はテレビ台取着体１３の回転面に対して所定の角度となるように調整され、固定される。従って、テレビ台１４に載置されたテレビが移動したり、落下したりすることを防止するため、通常、テレビはテレビ台１４に支持され、固定される。この支持、固定の方法は特に限定されず、（１）テレビ台１４に載置されるテレビの下部を支持するための下部支持手段と、テレビの上部を支持するための上部支持手段とを設ける、（２）傾斜させたテレビ台１４の手前側の上面端部にストッパーを立設させる、（３）傾斜させたテレビ台１４の手前側の上面端部にストッパーを立設させ、且つテレビ台１４の後方側にテレビがテレビ台１４の上面から浮き上がらないように保持する固定具を配設する、等の方法が挙げられる。
【００３２】
テレビ３は上記（１）のように上部と下部とを支持してテレビ台１４に載置することが好ましい。このようにすれば、上記（２）及び（３）のようにテレビの下部のみを支持する場合に比べて、テレビの落下等をより十分に防止することができる。下部支持手段及び上部支持手段は特に限定されないが、下部支持手段はテレビ３の下部をテレビ台１４に繋止する鎖２１又はワイヤロープであることが好ましく、上部支持手段は、テレビ３の上部を、テレビ台１４に繋止する鎖２２又はワイヤロープであることが好ましい。強度の大きい鎖及びワイヤロープを使用し、且つテレビ３の下部と上部とをテレビ台１４に繋止し、タンパックル２３等により鎖及びワイヤロープの長さを調整することで、テレビ３をテレビ台１４に安定して載置することができ、その移動及び落下を確実に防止することができる（図９〜１０参照）。
【００３３】
テレビ台取着体１３の長寸法側１３２には、テレビ台１４の過傾斜を防止する係止部が設けられていることが好ましい。この係止部の構成等は特に限定されず、テレビ台１４を、水平状態から、テレビを視聴する状態まで、テレビ台取着体１３の回転面に対して、通常、約４５°までの範囲で回転させ、傾斜させることができ、それを越える過傾斜を防止することができればよい。例えば、テレビ台取着体１３の長寸法側１３２のテレビ台１４の前後方向となる方向に、棒状体又は板状体等の過傾斜防止用ストッパー１３２ｂを水平に突接させ、この過傾斜防止用ストッパー１３２ｂのテレビ台１４の手前側の端面上部に、テレビ台１４の下面が当接するようにして過傾斜を防止することができる（図６及び図１０参照）。このように、過傾斜防止用ストッパー１３２ｂの端面上部に、テレビ台１４の下面を当接させ、その後、クランクボルト１３２ａを締め付けること等によりテレビ台１４を所定の角度に固定することができる。
【００３４】
また、テレビ台１４の下面に棒状体又は板状体からなる水平方向用ストッパー１４ａを突設させ、この水平方向用ストッパー１４ａの先端面を過傾斜防止用ストッパー１３２ｂの後方側の上面に当接させることでテレビ台１４の後方側への傾斜を防止することができる（図６及び図１０参照）。
【００３５】
テレビ台１４の材質は特に限定されず、載置されるテレビの重量等を支持することができればよい。この材質としては、木材、金属及び樹脂等が挙げられる。金属としては、アルミニウム及びステンレス鋼等が挙げられ、軽量であり、且つ十分な強度を有するアルミニウム等が好ましい。樹脂としては、ポリアミド、ＡＢＳ樹脂及びポリオレフィン等が挙げられる。テレビ台１４は軽量であり、且つ美観に優れる木製であることが好ましい。
【００３６】
（５）回動テーブル
支柱１２にはテーブル板を有する回動テーブル１５を取り付けることができる。この回動テーブル１５は、支柱１２の下端と上端との間に取り付けることができ、取り付ける位置、即ち、回動テーブル１５の高さは、回動テーブル１５の使用目的等により設定すればよく特に限定されない。この回動テーブル１５は、支柱１２を支軸として回転可能である。また、その使用目的等によって、支柱１２を支軸として回転可能とし、且つ支柱１２を上下方向に移動可能とすることもできる。
【００３７】
回動テーブル１５は、この回動テーブル１５が有するテーブル板に、例えば、パーソナルコンピュータ等を載置して作業する等の目的で用いることができる。回動テーブル１５は支柱１２を支軸として回転可能であるため、作業しないときは収納しておき、作業時には引き出して作業することができ、利便性がよい。一方、回動テーブル１５は、花を生けた花瓶及び置物等の装飾品などの飾り棚として用いることもでき、各種の身の回り用品等を置いておく実用的な棚として用いることもできる。この場合、上下動可能とし、飾り棚であるときは高い位置とし、身の回り用品等を置いておく実用的な棚であるときは低い位置とすることもできる。
【００３８】
支柱１２を支軸として回転可能な回動テーブル１５の構造等は特に限定されないが、例えば、支柱１２に嵌装され、且つ固定された固定環状体１５１と、支柱１２に支柱１２を支軸として回転可能に嵌装され、且つ固定環状体１５１に支持された可動環状体１５２と、可動環状体１５２に突設されたアーム１５３と、アーム１５３の上面に直接又は他部材を介して取り付けられたテーブル板１５４と、を有するものとすることができる。このようにすれば、支柱１２を支軸として回転可能な回動テーブル１５とすることができる。更に、固定環状体１５１をネジ止め等により支柱１２に上下動可能に取り付けることで、支柱１２を支軸として回転可能であり、且つ支柱１２を上下方向に移動可能である回動テーブル１５とすることもできる（図１及び図１１〜１２参照）。
【００３９】
テーブル板１５４は、アーム１５３に安定して取り付けることができるときは、アーム１５３に直接取り付けてもよい。また、アーム１５３の幅が狭い等の理由で、テーブル板１５４の安定性が不十分であるときは、アーム１５３に、木材及び金属等からなり、アーム１５３より平面方向の面積が大きい安定板１５４ａを取り付け、この安定板１５４ａにテーブル板１５４を取り付けてもよい。
【００４０】
テーブル板１５４は、アーム１５３の上面において回転可能、即ち、水平方向に回転可能に取り付けることもできる。回転可能とするための構造等は特に限定されないが、例えば、アーム１５３の先端部、又は安定板１５４ａが取り付けられたときは、この安定板１５４ａの中央部に、テーブル板１５４をボルト１５４ｂとナット１５４ｃとにより取り付けることで回転可能とすることができる（図１及び図１１〜１２参照）。このようにすれば、テーブル板１５を人の正面に容易に移動させることができ、パーソナルコンピュータ４等を載置して作業する回動テーブル１５として有用である。更に、テーブル板１５４又は安定板１５４ａと、ナット１５４ｃとの間にスプリングワッシャー等を介装させることもでき、これによってテーブル板１５４をより容易に人の正面に移動させることができる。
【００４１】
テーブル板１５４の材質は特に限定されず、載置されるパーソナルコンピュータ等の重量などを支持することができればよい。この材質としては、木材、金属及び樹脂等が挙げられる。金属としては、ステンレス鋼及びアルミニウム等が挙げられ、軽量であり、且つ十分な強度を有するアルミニウム等が好ましい。樹脂としては、ポリアミド、ＡＢＳ樹脂及びポリオレフィン等が挙げられる。テーブル板１５４は、軽量であり、且つ美観に優れる木製であることが好ましい。また、固定環状体１５１、可動環状体１５２及びアーム１５３は、強度を必要とするため、通常、ステンレス鋼及びアルミニウム等の金属により形成される。
【００４２】
可動環状体１５２には、支柱１２を支軸とする過回転、即ち、回動テーブル１５の過回転を防止する係止部が設けられていることが好ましい。この係止部の構成等は特に限定されず、回動テーブル１５を、収納された状態から、パーソナルコンピュータ等を使用する状態まで、通常、約９０°回転させることができ、それを越える過回転を防止することができればよい。例えば、固定環状体１５１の外周面に突設されたストッパー１５１ａと、可動環状体１５２の外周面に互いに周方向に９０°離間して突設された２個のストッパー１５２ａ、１５２ｂとを当接させることで、テーブル板１５の過回転を防止することができる（図１１〜１２参照）。
尚、可動環状体１５２の外周面に互いに周方向に９０°離間して突設された２個のストッパー１５２ａ、１５２ｂの突設位置により、テレビホルダ１を人の左側に位置させることもでき、右側に位置させることもできる。
【００４３】
（６）棚板
支柱１２には棚板１６を取り付けることができる。棚板１６は、回動テーブル１５を取り付けたうえで更に取り付けてもよく、棚板１６のみを取り付けてもよい。この棚板１６は、テレビ台１４等が収納される方向と同方向に取り付けてもよく、反対方向に取り付けてもよい（図１〜４及び図１３〜１４参照）。また、棚板１６は、支柱１２の下端と上端との間に取り付けることができ、取り付ける位置、即ち、棚板１６の高さは、棚板１６の使用目的等により設定すればよく特に限定されない。この棚板１６は、通常、花を生けた花瓶及び置物等の装飾品の飾り棚などとして用いられる。棚板１６は、回動テーブル１５と同様にして回転可能及び上下動可能としてもよいが、特にその必要はない。また、飾り棚等として用いることを目的としているため、高い位置に取り付けることが好ましく、回動テーブル１５が取り付けられたときは、テレビ台１４と回動テーブル１５との間に取り付けることが好ましい（図１〜４及び図１３〜１４参照）。
【００４４】
棚板１６の材質は特に限定されず、載置される装飾品などの重量等を支持することができればよい。この材質としては、木材、金属及び樹脂等が挙げられる。金属としては、ステンレス鋼及びアルミニウム等が挙げられ、軽量であり、且つ十分な強度を有するアルミニウム等が好ましい。樹脂としては、ポリアミド、ＡＢＳ樹脂及びポリオレフィン等が挙げられる。棚板１６は、軽量であり、且つ美観に優れる木製であることが好ましい。
【００４５】
（７）テレビホルダの使用方法
本発明のテレビホルダ１の使用方法は特に限定されないが、このテレビホルダ１、特に、テレビの下部及び上部が鎖等によりテレビ台に繋止され、回動テーブルを有する等、特定の構造のテレビホルダ１は、ベッド５の側部の足元側に配置して用いる場合に有用である。このようにすれば、ベッド５に寝たままテレビを視聴したときに、楽な姿勢で視聴することができ、疲労が軽減され、且つ長時間に渡ってテレビを楽しむことができる（図１４参照）。また、基材１１１はベッドの足元側へ延設されているため、テレビを視聴しないときに、収納されたテレビ等の荷重により、テレビホルダ１が足元側に転倒することが防止される。更に、側方材１１２がベッドの下部において側方へと延設されているため、テレビを視聴するときに、テレビ等の荷重により、テレビホルダ１が寝ている人の側に転倒することが防止される。このように、側方材１１２がベッドの下部に延設されることになるため、床面とベッドの下面との間には５０ｍｍ以上、特に７０ｍｍ以上の間隙があることが好ましい。
【００４６】
また、回動テーブル１５は、引き出してベッドに座って用いることもでき、収納してベッドに腰掛けて用いることもできる。更に、テレビ台１４等及び回動テーブル１５などを収納したときは、ベッドの上部は空間となり、ベッドの乗降にはまったく支障がない。また、テレビホルダ１を配置するために必要とされる壁とベッドとの間の間隙は２５０〜３５０ｍｍ程度であり、テレビホルダ１の配置のために部屋の空間の多くが必要とされることもない。
【００４７】
［２］実施例の効果
実施例のテレビホルダ１では、回動テーブル１５が設けられ、且つこの回動テーブル１５がテレビ台１４等と反対方向に収納され、支持フレーム１１の支柱１２が固定された位置から、テレビ台１４等が収納される方向、及び回動テーブル１５が収納される方向の各々の寸法が７００ｍｍである。従って、回動テーブル１５をパーソナルコンピュータ等の作業に用いることができるとともに、テレビホルダ１がいずれの側にも転倒することがない。更に、基材１１１の長さ方向の中央部に、それぞれ長さ１０００ｍｍの２本の側方材１１２が斜め方向に配設され、且つ基材１１１と２本の側方材１１２とが、支柱１２の下端部に取り付けられた金属製の支持板１２１により一体に固定されているため、テレビ台１４等を引き出したときに、テレビホルダ１が側方へ転倒することが防止される。
【００４８】
また、支柱１２及びテレビ台取着体１３はともに金属製であり、且つ円筒形であって、テレビ台取着体１３の短寸法側１３１の相対的に小径の端部が、支柱１２の相対的に大径の上端部に嵌入され、２枚の板状体１３１ａ、１３１ｂとストッパー１２２ａ、１２２ｂ、ストッパー１３１ｃとにより、テレビ台取着体１３の過回転が防止されている。従って、テレビ台取着体１３を揺動することなく回転させることができ、且つ過回転による他の物品との接触等によって、テレビ等が傷付いたり、落下したりすることが防止される。
【００４９】
更に、テレビ台取着体１３の長寸法側１３２には、テレビ台１４の過傾斜を防止するための過傾斜防止用ストッパー１３２ｂが設けられ、且つテレビ３の下部及び上部がそれぞれテレビ台１４に鎖により繋止されている。そのため、テレビ台１４からのテレビの落下が防止され、特に、テレビホルダ１をベッド５の側部の足元側に配置して用いた場合でも、安心してテレビを視聴することができる。
【００５０】
また、支柱１２を支軸として回転可能に回動テーブル１５が取り付けられ、且つ回動テーブル１５が有するテーブル板１５４が、アーム１５３の上面において回転可能であるため、このテーブル板１５４にパーソナルコンピュータ等を載置し、作業することができ、必要ないときは収納しておくことができる。更に、テーブル板１５４がアーム１５３の上面において回転可能であるため、特に、テレビホルダ１をベッド５の側部の足元側に配置して用いるときでも、テーブル板１５４の引き出し及び収納が容易である。
【００５１】
尚、本発明においては、上記の具体的な実施例に限られず、目的、用途等に応じて本発明の範囲内で種々変更した実施例とすることができる。例えば、支柱１２とテレビ台取着体１３とは、円筒形の支柱２の上端部が、円筒形のテレビ台取着体１３の短寸法側１３１の端部に嵌入した態様とすることもできる。この場合、テレビ台取着体１３の短寸法側１３１の内周面の端面側と、この端面側から離間した位置とに、半円弧状の２枚の板状体を周方向に互いに対向する位置に突設させ、支柱１２の外周面に突設されたストッパーと板状体の一方の端面とを当接させ、テレビ台取着体１３の短寸法側１３１の端部の内周面に突設されたストッパーと支柱１２の外周面に突設されたストッパーとを当接させることで、テレビ台取着体１３の過回転を防止することができる。
【００５２】
また、支柱１２を支軸として回転可能な回動テーブル１５は、支柱１２に固定された固定板と、この固定板に回転可能に取り付けられたアームと、アームの上面に直接又は他部材を介して取り付けられたテーブル板と、を有するものとすることもできる。この場合、固定板はＵボルト等により支柱１２に固定することができ、回動テーブル１５を上下方向に移動させることもできる。
尚、この場合も、テーブル板１５４は、前記と同様にして、アーム１５３の上面において回転可能、即ち、水平方向に回転可能とすることができる。
【図面の簡単な説明】
【００５３】
【図１】本発明のテレビホルダの斜視図である。
【図２】本発明のテレビホルダをベッドの側部の足元側に配置して用いた場合の平面図である。テレビ台及び回動テーブルが収納された状態である。
【図３】本発明のテレビホルダをベッドの側部の足元側に配置して用いた場合の平面図である。テレビ台は９０°回転されて引き出され、回動テーブルは収納されたままである。
【図４】本発明のテレビホルダをベッドの側部の足元側に配置して用いた場合の平面図である。テレビ台は収納されたままであり、回動テーブルは９０°回転されて引き出されている。
【図５】テレビ台を平面方向からみた説明図である。
【図６】テレビ台を側面方向からみた説明図である。
【図７】テレビ台取着体の短寸法側の端部が、支柱の上端部に嵌入されている部分を側方からみた説明図である。
【図８】テレビ台取着体の短寸法側の端部が、支柱の上端部に嵌入されている部分を上方からみた説明図である。
【図９】テレビ台に載置されたテレビが鎖により支持されている状態を背面側からみた説明図である。
【図１０】テレビ台に載置されたテレビが鎖により支持されている状態を側方からみた説明図である。
【図１１】支柱に固定環状体と可動環状体とが嵌装され、支柱を支軸として回転可能に取り付けられた回動テーブルを側方からみた説明図である。
【図１２】支柱に固定環状体と可動環状体とが嵌装され、支柱を支軸として回転可能に取り付けられた回動テーブルを上方からみた説明図である。
【図１３】ベッドの側部の足元側にテレビホルダが配置され、テレビ台も回動テーブルも収納された状態を側方からみた説明図である。
【図１４】ベッドの側部の足元側にテレビホルダが配置され、テレビ台が引き出され、人がテレビを視聴している様子を側方からみた説明図である。
【符号の説明】
【００５４】
１；テレビホルダ、１１；支持フレーム、１１１；基材、１１２；側方材、１２；支柱、１２１；支持板、１２２ａ、１２２ｂ；ストッパー、１３；テレビ台取着体、１３１；短寸法側、１３１ａ、１３１ｂ；半円弧状の板状体、１３１ｃ；ストッパー、１３２；長寸法側、１３２ａ；クランクボルト、１３２ｂ；過傾斜防止用ストッパー、１４；テレビ台、１４ａ；水平方向用ストッパー、１５；回動テーブル、１５１；固定環状体、１５１ａ；ストッパー、１５２；可動環状体、１５２ａ、１５２ｂ；ストッパー、１５３；アーム、１５４；テーブル板、１５４ａ；安定板、１５４ｂ；ボルト、１５４ｃ；ナット、１６；棚板、２１；テレビの下部を支持する鎖、２２；テレビの上部を支持する鎖、２３；タンパックル、３；テレビ、４；パーソナルコンピュータ、５；ベッド、６；視聴者。
【図１】
2007214924.tif 000003
【図２】
2007214924.tif 000004
【図３】
2007214924.tif 000005
【図４】
2007214924.tif 000006
【図５】
2007214924.tif 000007
【図６】
2007214924.tif 000008
【図７】
2007214924.tif 000009
【図８】
2007214924.tif 000010
【図９】
2007214924.tif 000011
【図１０】
2007214924.tif 000012
【図１１】
2007214924.tif 000013
【図１２】
2007214924.tif 000014
【図１３】
2007214924.tif 000015
【図１４】
2007214924.tif 000016